(57)【要約】【課題】携帯端末に提供する情報を、読み取りに応じて異なるものにする管理サーバ及び情報提供システムを提供する。【解決手段】情報提供システム１００の管理サーバ３は、配信情報接続先を、ＩＣタグ１０のタグＩＤ１１の読み取り順序に対応付けて記憶する配信情報接続先テーブル３１と、タグＩＤ１１の読み取り順序と、端末ＩＤとを対応付けて記憶するＩＤ記憶部３２と、携帯端末２からタグＩＤ１１と、端末ＩＤ２３とを受信するＩＤ受信部３６と、受信した端末ＩＤ２３及びタグＩＤ１１を、ＩＤ記憶部３２に反映させ、配信情報接続先テーブル３１を参照し、反映したタグＩＤ１１の読み取り順序に応じた配信情報接続先を、携帯端末２に送信する情報接続先送信部３７と、を備える。【選択図】図１
2014130473.tif 000002
【特許請求の範囲】
【請求項１】
複数のＩＣタグと、利用者が携行する携帯端末と、情報提供サーバと、管理サーバとを備え、
前記複数のＩＣタグが、前記管理サーバの接続先情報である管理サーバ接続先と、タグ識別情報とを記憶し、１つ又は複数の所持体に設けられ、
前記携帯端末が、
前記情報提供サーバと、前記管理サーバとに対して通信ネットワークを介して接続されており、
前記ＩＣタグに近づけた状態で、前記ＩＣタグとの間で近距離通信をするためのアンテナと、
端末識別情報を記憶する記憶部と、
前記アンテナを介して前記ＩＣタグから前記管理サーバ接続先を読み取って前記管理サーバに接続する管理サーバ接続部と、
前記タグ識別情報と、前記端末識別情報とを前記管理サーバに対して送信する識別情報送信部と、
を備え、
前記情報提供サーバが、複数の配信情報接続先の各々に配信情報を備える、
情報提供システムの前記管理サーバであって、
前記配信情報接続先を、前記タグ識別情報の読み取り順序に対応付けて記憶する配信情報接続先テーブルと、
前記タグ識別情報の読み取り順序と、前記端末識別情報とを対応付けて記憶する識別情報記憶部と、
前記携帯端末から前記タグ識別情報と、前記端末識別情報とを受信する識別情報受信部と、
前記識別情報受信部により受信した前記端末識別情報及び前記タグ識別情報を、前記識別情報記憶部に反映させ、前記配信情報接続先テーブルを参照し、反映した前記タグ識別情報の読み取り順序に応じた前記配信情報接続先を、前記携帯端末に送信する情報接続先送信部と、
を備えること、
を特徴とする管理サーバ。
【請求項２】
請求項１に記載の管理サーバにおいて、
前記配信情報は、広告対象に関する一覧表情報、及び１つの前記広告対象の詳細情報のうちのいずれかの情報であり、
前記配信情報接続先テーブルは、
前記タグ識別情報の読み取り回数が１回目の場合に、前記一覧表情報を出力する前記配信情報接続先を対応付けて記憶し、
同一の前記タグ識別情報の読み取りが連続していない場合に、前記一覧表情報を出力する前記配信情報接続先を対応付けて記憶し、
同一の前記タグ識別情報の読み取りが連続した場合に、前記詳細情報を出力する前記配信情報接続先を対応付けて記憶していること、
を特徴とする管理サーバ。
【請求項３】
請求項２に記載の管理サーバにおいて、
前記配信情報接続先テーブルは、同一の前記タグ識別情報の読み取りが連続していない場合であっても、同一の前記タグ識別情報の読み取り回数が所定回数以上である場合に、前記詳細情報を出力する前記配信情報接続先を対応付けて記憶していること、
を特徴とする管理サーバ。
【請求項４】
請求項１から請求項３までのいずれかに記載の管理サーバにおいて、
前記複数のＩＣタグが複数の前記所持体に設けられている場合には、前記複数の所持体は、近接して配置されていること、
を特徴とする管理サーバ。
【請求項５】
請求項１から請求項４までのいずれかに記載の管理サーバにおいて、
前記所持体には、２つの前記ＩＣタグが設けられており、
前記配信情報は、前記ＩＣタグの前記タグ識別情報に関連付けられ、広告対象の評価情報及び価格情報のいずれかの情報であること、
を特徴とする管理サーバ。
【請求項６】
複数のＩＣタグと、利用者が携行する携帯端末と、情報提供サーバと、管理サーバとを備え、
前記携帯端末は、前記情報提供サーバと前記管理サーバとに対して通信ネットワークを介して接続されており、
前記複数のＩＣタグは、前記管理サーバの接続先情報である管理サーバ接続先と、タグ識別情報とを記憶し、１つ又は複数の所持体に設けられ、
前記携帯端末は、
前記ＩＣタグに近づけた状態で、前記ＩＣタグとの間で近距離通信をするためのアンテナと、
前記携帯端末を識別する端末識別情報を記憶する記憶部と、
前記アンテナを介して前記ＩＣタグから前記管理サーバ接続先を読み取って前記管理サーバに接続する管理サーバ接続部と、
前記タグ識別情報と、前記端末識別情報とを前記管理サーバに対して送信する識別情報送信部と、
を備え、
前記情報提供サーバは、複数の配信情報接続先の各々に配信情報を備え、
前記管理サーバは、
前記配信情報接続先を、前記タグ識別情報の読み取り順序に対応付けて記憶する配信情報接続先テーブルと、
前記タグ識別情報の読み取り順序と、前記端末識別情報とを対応付けて記憶する識別情報記憶部と、
前記携帯端末から前記タグ識別情報と、前記端末識別情報とを受信する識別情報受信部と、
前記識別情報受信部により受信した前記端末識別情報及び前記タグ識別情報を、前記識別情報記憶部に反映させ、前記配信情報接続先テーブルを参照し、反映した前記タグ識別情報の読み取り順序に応じた前記配信情報接続先を、前記携帯端末に送信する情報接続先送信部と、
を備え、
前記携帯端末は、
前記管理サーバから前記配信情報接続先を受信する情報接続先受信部と、
受信した前記配信情報接続先に基づいて前記情報提供サーバに接続して、前記配信情報を出力する配信情報出力部と、
を備えること、
を特徴とする情報提供システム。
【発明の詳細な説明】
【技術分野】
【０００１】
本発明は、ＩＣタグを利用して、携帯端末に情報を出力する管理サーバ及び情報提供システムに関する。
【背景技術】
【０００２】
従来、駅に設置されたリーダライタによって、携帯端末に情報を提供するシステムがあった（例えば、特許文献１）。このシステムでは、携帯端末を駅に設置されたリーダライタ端末に近づけてかざすと、携帯端末がリーダライタ端末からＵＲＬを受信して、ウェブサーバに接続することで、携帯端末が駅周辺情報を取得する。
また、リーダライタ端末に代わって、記憶媒体（ＩＣチップ等）を用いて携帯端末に対して同様に情報を提供するシステムがある（例えば、特許文献２）。
【先行技術文献】
【特許文献】
【０００３】
【特許文献１】特開２０１０−１２３００６号公報
【特許文献１】特開２００２−１８５５６５号公報
【発明の概要】
【発明が解決しようとする課題】
【０００４】
上述の特許文献は、リーダライタや記憶媒体に、情報提供先を示すＵＲＬが予め記憶されているものであった。よって、携帯端末に提供される情報は、読み取りの都度一律のものであった。
【０００５】
そこで、本発明は、携帯端末に提供する情報を、読み取りに応じて異なるものにする管理サーバ及び情報提供システムを提供することを目的とする。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
第１の発明は、複数のＩＣタグ（１０Ｘ，１０Ｙ）と、利用者が携行する携帯端末（２）と、情報提供サーバ（４）と、管理サーバ（３）とを備え、前記複数のＩＣタグが、前記管理サーバの接続先情報である管理サーバ接続先と、タグ識別情報（１１Ｘ，１１Ｙ）とを記憶し、１つ又は複数の所持体（１Ｘ，１Ｙ）に設けられ、前記携帯端末が、前記情報提供サーバと、前記管理サーバとに対して通信ネットワーク（Ｎ）を介して接続されており、前記ＩＣタグに近づけた状態で、前記ＩＣタグとの間で近距離通信をするためのアンテナ（２１）と、端末識別情報（２３）を記憶する記憶部（２２）と、前記アンテナを介して前記ＩＣタグから前記管理サーバ接続先を読み取って前記管理サーバに接続する管理サーバ接続部（２６）と、前記タグ識別情報と、前記端末識別情報とを前記管理サーバに対して送信する識別情報送信部（２７）と、を備え、前記情報提供サーバが、複数の配信情報接続先の各々に配信情報を備える、情報提供システム（１００）の前記管理サーバであって、前記配信情報接続先を、前記タグ識別情報の読み取り順序に対応付けて記憶する配信情報接続先テーブル（３１）と、前記タグ識別情報の読み取り順序と、前記端末識別情報とを対応付けて記憶する識別情報記憶部（３２）と、前記携帯端末から前記タグ識別情報と、前記端末識別情報とを受信する識別情報受信部（３６）と、前記識別情報受信部により受信した前記端末識別情報及び前記タグ識別情報を、前記識別情報記憶部に反映させ、前記配信情報接続先テーブルを参照し、反映した前記タグ識別情報の読み取り順序に応じた前記配信情報接続先を、前記携帯端末に送信する情報接続先送信部（３７）と、を備えること、を特徴とする管理サーバである。
第２の発明は、第１の発明の管理サーバ（３）において、前記配信情報は、広告対象に関する一覧表情報、及び１つの前記広告対象の詳細情報のうちのいずれかの情報であり、前記配信情報接続先テーブル（３１）は、前記タグ識別情報（１１Ｘ，１１Ｙ）の読み取り回数が１回目の場合に、前記一覧表情報を出力する前記配信情報接続先を対応付けて記憶し、同一の前記タグ識別情報の読み取りが連続していない場合に、前記一覧表情報を出力する前記配信情報接続先を対応付けて記憶し、同一の前記タグ識別情報の読み取りが連続した場合に、前記詳細情報を出力する前記配信情報接続先を対応付けて記憶していること、を特徴とする管理サーバである。
第３の発明は、第２の発明の管理サーバ（３）において、前記配信情報接続先テーブル（３１）は、同一の前記タグ識別情報（１１Ｘ，１１Ｙ）の読み取りが連続していない場合であっても、同一の前記タグ識別情報の読み取り回数が所定回数以上である場合に、前記詳細情報を出力する前記配信情報接続先を対応付けて記憶していること、を特徴とする管理サーバである。
第４の発明は、第１の発明から第３の発明までのいずれかの管理サーバ（３）において、前記複数のＩＣタグ（１０Ｘ，１０Ｙ）が複数の前記所持体（１Ｘ，１Ｙ）に設けられている場合には、前記複数の所持体は、近接して配置されていること、を特徴とする管理サーバである。
第５の発明は、第１の発明から第４の発明までのいずれかの管理サーバ（３）において、前記所持体（１Ｘ，１Ｙ）には、２つの前記ＩＣタグ（１０Ｘ，１０Ｙ）が設けられており、前記配信情報は、前記ＩＣタグの前記タグ識別情報（１１Ｘ，１１Ｙ）に関連付けられ、広告対象の評価情報及び価格情報のいずれかの情報であること、を特徴とする管理サーバである。
【０００８】
第６の発明は、複数のＩＣタグ（１０Ｘ，１０Ｙ）と、利用者が携行する携帯端末（２）と、情報提供サーバ（４）と、管理サーバ（３）とを備え、前記携帯端末は、前記情報提供サーバと前記管理サーバとに対して通信ネットワーク（Ｎ）を介して接続されており、前記複数のＩＣタグは、前記管理サーバの接続先情報である管理サーバ接続先と、タグ識別情報（１１Ｘ，１１Ｙ）とを記憶し、１つ又は複数の所持体（１Ｘ，１Ｙ）に設けられ、前記携帯端末は、前記ＩＣタグに近づけた状態で、前記ＩＣタグとの間で近距離通信をするためのアンテナ（２１）と、前記携帯端末を識別する端末識別情報（２３）を記憶する記憶部（２２）と、前記アンテナを介して前記ＩＣタグから前記管理サーバ接続先を読み取って前記管理サーバに接続する管理サーバ接続部（２６）と、前記タグ識別情報と、前記端末識別情報とを前記管理サーバに対して送信する識別情報送信部（２７）と、を備え、前記情報提供サーバは、複数の配信情報接続先の各々に配信情報を備え、前記管理サーバは、前記配信情報接続先を、前記タグ識別情報の読み取り順序に対応付けて記憶する配信情報接続先テーブル（３１）と、前記タグ識別情報の読み取り順序と、前記端末識別情報とを対応付けて記憶する識別情報記憶部（３２）と、前記携帯端末から前記タグ識別情報と、前記端末識別情報とを受信する識別情報受信部（３６）と、前記識別情報受信部により受信した前記端末識別情報及び前記タグ識別情報を、前記識別情報記憶部に反映させ、前記配信情報接続先テーブルを参照し、反映した前記タグ識別情報の読み取り順序に応じた前記配信情報接続先を、前記携帯端末に送信する情報接続先送信部（３７）と、を備え、前記携帯端末は、前記管理サーバから前記配信情報接続先を受信する情報接続先受信部（２８）と、受信した前記配信情報接続先に基づいて前記情報提供サーバに接続して、前記配信情報を出力する配信情報出力部（２９）と、を備えること、を特徴とする情報提供システムである。
【発明の効果】
【０００９】
本発明によれば、携帯端末に提供する情報を、読み取りに応じて異なるものにする管理サーバ及び情報提供システムを提供することができる。
【図面の簡単な説明】
【００１０】
【図１】本実施形態に係る情報提供システムの全体構成を示す図である。
【図２】本実施形態に係る携帯端末、管理サーバ及び情報提供サーバの機能ブロックを示す図である。
【図３】本実施形態に係る配信情報接続先テーブルの例を示す図である。
【図４】本実施形態に係るＩＤ記憶部及び配信情報記憶部の例を示す図である。
【図５】本実施形態に係る情報提供システムの情報配信処理のフローチャートである。
【図６】本実施形態に係る配信情報決定処理のフローチャートである。
【図７】本実施形態に係る携帯端末に出力される配信情報の具体例を示す図である。
【発明を実施するための形態】
【００１１】
以下、本発明を実施するための形態について、図を参照しながら説明する。なお、これは、あくまでも一例であって、本発明の技術的範囲はこれに限られるものではない。
（実施形態）
図１は、本実施形態に係る情報提供システム１００の全体構成を示す図である。
図２は、本実施形態に係る携帯端末２、管理サーバ３及び情報提供サーバ４の機能ブロックを示す図である。
図３は、本実施形態に係る配信情報接続先テーブル３１の例を示す図である。
図４は、本実施形態に係るＩＤ記憶部３２及び配信情報記憶部４１の例を示す図である。
【００１２】
図１に示すように、情報提供システム１００は、携帯端末２への情報提供に関するシステムである。各利用者が携行する携帯端末２を、ポスター１（１Ｘ、１Ｙ）（所持体）のＩＣタグ１０（１０Ｘ、１０Ｙ）にかざすと、携帯端末２が管理サーバ３に接続される。そして、管理サーバ３は、リダイレクト機能により、ＩＣタグ１０にかざされた携帯端末２を、情報提供サーバ４に接続する。そして、情報提供サーバ４は、携帯端末２に配信情報を出力する。
この配信情報は、例えば、ビデオカメラの価格や評価に関するものである。利用者は、携帯端末２が出力した配信情報を確認することにより、利用者のニーズに合ったビデオカメラを確認でき、ビデオカメラの購入の際の参考にできる。
情報提供システム１００は、ポスター１と、携帯端末２と、管理サーバ３と、情報提供サーバ４とを備える。携帯端末２と、管理サーバ３と、情報提供サーバ４とは、インターネット等の通信ネットワークＮを介して通信可能になっている。
【００１３】
ポスター１は、紙材、樹脂シート材等から形成された広告媒体である。ポスター１は、ある家電量販店Ａのビデオカメラ売場の近くの壁等、利用者の目に付きやすい場所に掲示されている。
ポスター１Ｘと、ポスター１Ｙとは、利用者が移動をすることなく、手を伸ばして届く程度のごく近い範囲に配置されている。
ポスター１は、ＩＣタグ１０と、印刷１５とを備える。
ＩＣタグ１０は、ＲＦＩＤ（Ｒａｄｉｏ  Ｆｒｅｑｕｅｎｃｙ  ＩＤｅｎｔｉｆｉｃａｔｉｏｎ）タグである。ＲＦＩＤタグは、ポスター１の表面に印刷された枠１６内に配置されている。
ＩＣタグ１０は、ループアンテナ（図示せず）を備えており、携帯端末２との間で通信できる。これらの間の通信は、例えば、数ｍｍ〜数十ｍｍ程度である。ＩＣタグ１０は、例えば、ＮＦＣ（Ｎｅａｒ  Ｆｉｅｌｄ  Ｃｏｍｍｕｎｉｃａｔｉｏｎ）の規格（ＩＳＯ／ＩＥＣ１８０９２（ＮＦＣ  ＩＰ−１）、ＩＳＯ／ＩＥＣ２１４８１（ＮＦＣ  ＩＰ−２））に基づいて、１３．５６ＭＨｚの電磁波を利用する。
ＩＣタグ１０は、ＩＣタグ１０を統括的に制御する制御部（図示せず）と、ＩＣタグ１０の動作に必要なプログラムや情報を記憶する記憶部（図示せず）とを備える。この記憶部は、タグＩＤ１１（タグ識別情報）と、管理サーバＵＲＩ（Ｕｎｉｆｏｒｍ  Ｒｅｓｏｕｒｃｅ  Ｉｄｅｎｔｉｆｉｅｒ）１２とを記憶している。
【００１４】
タグＩＤ１１は、ＩＣタグ１０ごとに割り当てられた識別情報である。このため、タグＩＤ１１は、ＩＣタグ１０Ｘと、ＩＣタグ１０Ｙとでは異なるものである。この例では、タグＩＤ１１Ｘは、「００Ｘ」であり、タグＩＤ１１Ｙは、「００Ｙ」である。タグＩＤ１１は、どのＩＣタグ１０に基づいて携帯端末２が接続されたか等を、管理サーバ３が解析して配信情報を決定するために用いられる。
管理サーバＵＲＩ１２は、通信ネットワークＮ上の管理サーバ３の接続先情報である。管理サーバＵＲＩ１２は、複数のＩＣタグ１０に共通であってよい。このため、携帯端末２は、どのＩＣタグ１０にかざされても、管理サーバ３に接続する。
印刷１５は、ポスター１の表面に設けられている。印刷１５の内容は、ビデオカメラに関する情報として、「枠内に情報端末をかざすと価格情報を表示します」、又は「枠内に情報端末をかざすと評価情報を表示します」というものであり、利用者に対して、携帯端末２をかざすことを促す内容である。
【００１５】
携帯端末２は、各利用者が携行する携帯情報端末であり、例えば、スマートフォン等の多機能型携帯電話である。
図２に示すように、携帯端末２は、表示部２０と、アンテナ２１と、記憶部２２と、制御部２５とを備える。
表示部２０は、例えば、液晶表示装置、有機ＥＬ表示装置等の表示装置である。表示部２０は、情報提供サーバ４から受信した配信情報を表示する。
アンテナ２１は、ループアンテナである。アンテナ２１は、ＩＣタグ１０が携帯端末２との間で通信するためのものである。携帯端末２をポスター１にかざすと、アンテナ２１とポスター１のＩＣタグ１０とが近づく。これにより、携帯端末２は、アンテナ２１を介してＩＣタグ１０と通信できる。
【００１６】
記憶部２２は、携帯端末２の動作に必要なプログラム、データ等を記憶するための半導体メモリ素子等の記憶装置である。記憶部２２は、端末ＩＤ２３（端末識別情報）を記憶する。
端末ＩＤ２３は、携帯端末２を識別可能な記号である。端末ＩＤ２３は、例えば、携帯端末２のＵＩＭ（Ｕｓｅｒ  Ｉｄｅｎｔｉｔｙ  Ｍｏｄｕｌｅ）（図示せず）の利用者識別番号であってよい。
制御部２５は、携帯端末２の全体を制御する中央処理装置（ＣＰＵ）である。制御部２５は、記憶部２２に記憶されているオペレーティングシステム（ＯＳ）や、各種のアプリケーションプログラムを適宜読み出して実行することにより、上述したハードウェアと協働し、各種機能を実行する。
【００１７】
制御部２５は、管理サーバ接続部２６と、ＩＤ送信部２７（識別情報送信部）と、情報接続先受信部２８と、配信情報出力部２９とを備える。
管理サーバ接続部２６は、携帯端末２が管理サーバＵＲＩ１２を読み取って、管理サーバ３への接続処理を行う制御部である。
ＩＤ送信部２７は、携帯端末２が読み取ったタグＩＤ１１と、端末ＩＤ２３とを管理サーバ３に送信する制御部である。
情報接続先受信部２８は、管理サーバ３から情報提供サーバ４のＵＲＩを受信する制御部である。
配信情報出力部２９は、情報提供サーバ４に接続して、情報提供サーバ４から受信した配信情報を表示部２０に出力する制御部である。
これらの各機能の詳細については、後述する。
【００１８】
管理サーバ３は、携帯端末２を、情報提供サーバ４に接続させるためのサーバである。
図２に示すように、管理サーバ３は、記憶部３０と、制御部３５とを備える。
記憶部３０は、制御部３５の処理を実行するために必要なプログラム、データ等を記憶するためのハードディスク、半導体メモリ素子等の記憶装置である。
記憶部３０は、配信情報接続先テーブル３１と、ＩＤ記憶部３２（識別情報記憶部）とを備える。
【００１９】
図３に示すように、配信情報接続先テーブル３１は、情報提供サーバ４の配信情報への接続先である配信情報ＵＲＩ（配信情報接続先）を記憶するテーブルである。配信情報ＵＲＩは、情報提供サーバ４の配信情報の所在を示すアドレスである。
配信情報接続先テーブル３１は、タグＩＤ１１の読み取り順序と、配信情報ＵＲＩとを関連付けて記憶している。
図４（ａ）に示すように、ＩＤ記憶部３２は、端末ＩＤと、タグＩＤとを、携帯端末２から受信した受信日時に対応付けて記憶する。ＩＤ記憶部３２は、例えば、受信日時が現在日時から２４時間以内のデータを記憶する。図４（ａ）には、端末ＩＤ２３が「ｘｘｘ１」の携帯端末２からの受信履歴が４つある。これは、携帯端末２が、過去２４時間以内にＩＣタグ１０に４回かざされたことで、携帯端末２がその都度送信した端末ＩＤ及びタグＩＤが記憶されたものである。
【００２０】
図２に戻り、制御部３５は、管理サーバ３の全体を制御するＣＰＵである。制御部３５は、記憶部３０に記憶されているＯＳや、各種のアプリケーションプログラムを適宜読み出して実行することにより、上述したハードウェアと協働し、各種機能を実行する。
制御部３５は、ＩＤ受信部３６（識別情報受信部）と、情報接続先送信部３７とを備える。
ＩＤ受信部３６は、携帯端末２からタグＩＤ１１と、端末ＩＤ２３とを受信する制御部である。
情報接続先送信部３７は、受信したタグＩＤ１１と、端末ＩＤ２３とを、ＩＤ記憶部３２に反映させる。また、情報接続先送信部３７は、配信情報接続先テーブル３１を参照して、反映したタグＩＤ１１の読み取り順序に応じた情報提供サーバ４のＵＲＩを、携帯端末２に送信する。
これらの各機能の詳細については、後述する。
【００２１】
情報提供サーバ４は、携帯端末２からの要求に応じて、配信情報を携帯端末２に送信するサーバである。本実施形態では、情報提供サーバ４は、１つのサーバにより行うものとして説明するが、情報提供サーバ４の数は、これに限定されない。
情報提供サーバ４は、記憶部４０と、制御部４５とを備える。
記憶部４０は、制御部４５を実行するために必要なプログラム、データ等を記憶するためのハードディスク、半導体メモリ素子等の記憶装置である。
記憶部４０は、配信情報記憶部４１を備える。
配信情報記憶部４１は、配信情報を記憶する。図４（ｂ）に示すように、配信情報記憶部４１は、配信情報を、ディレクトリに分けて記憶している。配信情報は、ビデオカメラの価格情報として、一覧表情報と、一覧表に掲載されたもののうち１つのビデオカメラの詳細情報とがある。また、配信情報は、ビデオカメラの評価情報として、一覧表情報と、一覧表に掲載されたもののうち１つのビデオカメラの詳細情報とがある。
【００２２】
価格情報の一覧表情報は、複数のビデオカメラのメーカ名及び商品名を価格の安いものから有する。また、評価情報の一覧表情報は、複数のビデオカメラのメーカ名及び商品名を評価の高いものから有する。詳細情報は、図４（ｂ）に例示するように、ビデオカメラのスペックに関する情報を有する。詳細情報は、その他、他のユーザの評価（口コミ）等を有してもよい。
図２に戻り、制御部４５は、情報提供サーバ４の全体を制御するＣＰＵである。制御部４５は、記憶部４０に記憶されているＯＳや、各種のアプリケーションプログラムを適宜読み出して実行することにより、上述したハードウェアと協働し、各種機能を実行する。
制御部４５は、携帯端末２からの要求に応じて、配信情報を送信したりする処理を行う。制御部４５の詳細な処理は、後述する。
【００２３】
次に、情報提供システム１００の処理について説明する。
図５は、本実施形態に係る情報提供システム１００の情報配信処理のフローチャートである。
図６は、本実施形態に係る配信情報接続先決定処理のフローチャートである。
図７は、本実施形態に係る携帯端末２に出力される配信情報の具体例を示す図である。
図５のステップＳ（以下、単に「Ｓ」という。）１において、家電量販店Ａでビデオカメラの購入を検討している利用者が携帯端末２をポスター１にかざすことで、そのアンテナ２１及びポスター１のＩＣタグ１０間が通信距離内に近づく。これにより、携帯端末２の制御部２５は、ＩＣタグ１０との間で通信して、ＩＣタグ１０からタグＩＤ１１と、管理サーバＵＲＩ１２とを読み出す。
Ｓ２において、制御部２５（管理サーバ接続部２６）は、管理サーバＵＲＩ１２に基づいて管理サーバ３に接続する。そして、制御部２５（ＩＤ送信部２７）は、ＩＣタグ１０のタグＩＤ１１と、携帯端末２の端末ＩＤ２３とを送信して、配信情報の要求を行う。
Ｓ３において、管理サーバ３の制御部３５（ＩＤ受信部３６）は、携帯端末２からタグＩＤ１１と端末ＩＤ２３とを受信する。
Ｓ４において、管理サーバ３の制御部３５は、配信情報ＵＲＩを、タグＩＤ１１の読み取り順序に応じて決定する配信情報決定処理を行う。
【００２４】
ここで、配信情報決定処理について説明する。
図６のＳ１１において、制御部３５は、受信したタグＩＤ１１と端末ＩＤ２３とをＩＤ記憶部３２に記憶させる。
Ｓ１２において、制御部３５は、受信した端末ＩＤ２３のレコードをＩＤ記憶部３２から抽出する。
Ｓ１３において、制御部３５は、抽出したレコードを時系列に並べる。
Ｓ１４において、制御部３５は、時系列に並んだレコードのタグＩＤ１１の順番に、配信情報接続先テーブル３１を照合する（たどる）ことで、配信情報ＵＲＩを決定する。
【００２５】
ここで、図４（ａ）に示す端末ＩＤ２３が「ｘｘｘ１」の携帯端末２での配信情報決定処理の具体例について、図７に基づき説明する。
（１）１回目は、利用者が、ポスター１ＸのＩＣタグ１０Ｘに携帯端末２を近づけてかざした場合である。
この場合は、携帯端末２が読み取ったのがタグＩＤ１１Ｘ（００Ｘ）である（図５のＳ１）ので、制御部３５は、配信情報接続先テーブル３１を参照して、読取が１回目のタグＩＤ１１Ｘ（００Ｘ）である「価格リスト」（＃１）を決定する（図６のＳ１４）。その際、ＩＤ記憶部３２には、図４（ａ）の（１）のレコードが追加される（図６のＳ１１）。
このように、初めて携帯端末２がＩＣタグ１０にかざされた場合には、読み取られたＩＣタグ１０に対応する情報の状況を利用者に提供するため、携帯端末２は、一覧表を表示する。
【００２６】
（２）２回目は、利用者が、ポスター１ＸのＩＣタグ１０Ｘに携帯端末２を近づけてかざした場合である。
この場合は、携帯端末２が読み取ったのがタグＩＤ１１Ｘ（００Ｘ）である（図５のＳ１）ので、制御部３５は、配信情報接続先テーブル３１を参照して、読取が２回目のタグＩＤ１１Ｘ（００Ｘ）である「価格お勧め（その１）」（＃２）を決定する（図６のＳ１４）。その際、ＩＤ記憶部３２には、図４（ａ）の（２）のレコードが追加される。
このように、携帯端末２が連続して同じＩＣタグ１０にかざされた場合には、利用者が１度読み取られて表示された情報に興味があるため、再度読み取ったと考えられる。よって、携帯端末２は、１回目とは異なり、リストの中の１つの詳細情報を表示する。
【００２７】
（３）３回目は、利用者が、ポスター１ＹのＩＣタグ１０Ｙに携帯端末２を近づけてかざした場合である。
この場合は、携帯端末２が読み取ったのがタグＩＤ１１Ｙ（００Ｙ）である（図５のＳ１）ので、制御部３５は、配信情報接続先テーブル３１を参照して、読取が３回目のタグＩＤ１１Ｙ（００Ｙ）である「評価リスト」（＃３）を決定する（図６のＳ１４）。その際、ＩＤ記憶部３２には、図４（ａ）の（３）のレコードが追加される。
このように、携帯端末２が異なるＩＣタグ１０にかざされた場合には、読み取られたＩＣタグ１０に対応する情報の状況を利用者に提供するため、携帯端末２は、一覧表を表示する。
【００２８】
（４）４回目は、利用者が、ポスター１ＸのＩＣタグ１０Ｘに携帯端末２を近づけてかざした場合である。
この場合は、携帯端末２が読み取ったのがタグＩＤ１１Ｘ（００Ｘ）である（図５のＳ１）ので、制御部３５は、配信情報接続先テーブル３１を参照して、読取が４回目のタグＩＤ１１Ｘ（００Ｘ）である「価格お勧め（その１）」（＃４）を決定する（図６のＳ１４）。その際、ＩＤ記憶部３２には、図４（ａ）の（４）のレコードが追加される。
このように、携帯端末２が連続せずに複数回同じＩＣタグ１０にかざされた場合には、利用者が以前に表示された情報に興味があると考えられる。よって、携帯端末２は、リストの中の１つの詳細情報を表示する。
【００２９】
図５に戻り、Ｓ５において、制御部３５（情報接続先送信部３７）は、決定した配信情報ＵＲＩを、情報配信の要求のあった携帯端末２に送信する。
Ｓ６において、携帯端末２の制御部２５（情報接続先受信部２８）は、管理サーバ３から配信情報ＵＲＩを受信する。携帯端末２の制御部２５は、リダイレクト処理により、その配信情報ＵＲＩに基づいて、情報提供サーバ４に接続して、配信情報を要求する。
Ｓ７において、情報提供サーバ４の制御部４５は、携帯端末２からの接続に応じて、携帯端末２が要求する配信情報ＵＲＩに対応した配信情報を、記憶部４０（配信情報記憶部４１）から読み出す。
Ｓ８において、情報提供サーバ４の制御部４５は、読み出した配信情報を、接続のあった携帯端末２に送信する。
Ｓ９において、携帯端末２の制御部２５（配信情報出力部２９）は、情報提供サーバ４から受信した配信情報を、表示部２０に出力する。
【００３０】
このように、本実施形態によれば、以下のような効果がある。
（１）情報提供システム１００は、タグＩＤ１１と、携帯端末２の端末ＩＤ２３とを携帯端末２から受信して、ＩＤ記憶部３２に反映させた上で、配信情報接続先テーブル３１を参照し、タグＩＤ１１の読み取り順序に応じた配信情報接続先を、携帯端末２に送信する。よって、携帯端末２でのＩＣタグ１０の読み取り順序を反映して、配信情報を異なるものにできる。
（２）情報提供システム１００は、配信情報として、広告対象に関する一覧表情報及び１つの広告対象の詳細情報のうちのいずれかを携帯端末２に送信する。よって、携帯端末２の利用者に一覧表情報又は詳細情報として、広告に関する情報を提供できる。
（３）情報提供システム１００は、携帯端末２がＩＣタグ１０を読み取った回数が１回目の場合又は携帯端末２が同一のＩＣタグ１０を連続しないで読み取った場合には、一覧表情報を携帯端末２に送信する。また、情報提供システム１００は、携帯端末２が同一のＩＣタグ１０を連続して読み取った場合には、詳細情報を携帯端末２に送信する。携帯端末２が同一のＩＣタグ１０を連続して読み取った場合は、携帯端末２の利用者が、一度ＩＣタグ１０を読み取って携帯端末２に出力された情報に興味があるので、再度同一のＩＣタグ１０を読み取ったと考えられる。よって、同一のＩＣタグ１０を連続して読み取った場合には、詳細情報を携帯端末２に送信することで、利用者がより興味のある情報を携帯端末２に出力できる。そして、情報提供システム１００は、利用者をより興味のある情報へ案内することで、利用者に、例えば、広告主の商品購入を促すことができる。
【００３１】
（４）情報提供システム１００は、携帯端末２が同一のＩＣタグ１０を連続せずに読み取った場合であっても、読み取り回数が所定回数以上には、詳細情報を携帯端末２に送信する。携帯端末２が同一のＩＣタグ１０を所定回数以上読み取った場合は、携帯端末２の利用者が、そのＩＣタグ１０を読み取って携帯端末２に出力された情報に興味があると考えられる。よって、同一のＩＣタグ１０を所定回数以上読み取った場合には、詳細情報を携帯端末２に送信することで、利用者がより興味のある情報を携帯端末２に出力できる。
（５）情報提供システム１００は、複数のＩＣタグ１０を、例えば、利用者が移動せずに読み取りができる程度の近くに配置することで、利用者に、複数のＩＣタグ１０を読み取らせるようにすることができる。
【００３２】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００３３】
（変形形態）
（１）本実施形態では、配信情報接続先テーブルを、読取回数が４回目までの配信情報ＵＲＩを有するものとして説明した。しかし、配信情報接続先テーブルは、読取回数が５回目以降の場合の配信情報ＵＲＩを有するものであってもよい。また、配信情報接続先テーブルを有さず、配信情報接続先テーブルを作成するにあたっての一定のルールに基づくアルゴリズムを有して、その都度、配信情報接続先を算出するものであってもよい。
（２）本実施形態では、１つのポスターに１つのＩＣタグを備えるものとして説明した。しかし、１つのポスターに複数のＩＣタグを備えるものであってもよい。例えば、１つのポスターに、価格情報を出力させるＩＣタグと、評価情報を出力させるＩＣタグとを有してもよい。この場合、利用者は、ポスターの前に立って移動することなく、携帯端末を複数のＩＣタグにかざすことができる。また、複数のＩＣタグを設ける対象物は、ポスターに限定するものではない。
（３）本実施形態では、端末ＩＤとして、ＵＩＭの利用者識別番号を例に説明した。しかし、端末ＩＤは、これに限定されず、例えば、Ｃｏｏｋｉｅのようなユーザの識別ができるものであってもよい。その他、ユーザ登録することで管理サーバが発行するユーザＩＤであってもよい。
【００３４】
（４）本実施形態では、ポスターをビデオカメラの価格情報や評価情報に関するものを例に説明した。しかし、ポスターの内容は、これに限定されない。
（５）本実施形態では、連続しなくても、同一のＩＣタグが３回以上読み取られた場合には、詳細な情報を出力するものとして説明した。この回数は、ある程度興味があるものと考えられる回数であるので、３回に限定されるものではない。また、その場合に出力する詳細な情報は、（その１）を出力するものとして説明したが、以前に（その１）を出力している場合に、（その２）を出力してもよい。
（６）本実施形態では、ＩＣタグが読み取られた場合に、読取順として追跡するものを過去２４時間以内のものとして説明した。しかし、この時間は、ＩＣタグを読み取った際に連続するか否かを判断するためのものであり、出力する情報によって異なってもよい。そして、過去２４時間以内に限定するものではない。
【符号の説明】
【００３５】
１，１Ｘ，１Ｙ  ポスター
２    携帯端末
３    管理サーバ
４    情報提供サーバ
１０，１０Ｘ，１０Ｙ  ＩＣタグ
２０  表示部
２１  アンテナ
２２，３０，４０  記憶部
２３  端末ＩＤ
２５，３５，４５  制御部
２６  管理サーバ接続部
２７  ＩＤ送信部
２８  情報接続先受信部
２９  配信情報出力部
３１  配信情報接続先テーブル
３２  ＩＤ記憶部
３６  ＩＤ受信部
３７  情報接続先送信部
４１  配信情報記憶部
１００  情報提供システム
【図１】
2014130473.tif 000003
【図２】
2014130473.tif 000004
【図３】
2014130473.tif 000005
【図４】
2014130473.tif 000006
【図５】
2014130473.tif 000007
【図６】
2014130473.tif 000008
【図７】
2014130473.tif 000009